(57)【要約】【課題】特に、ベローズ弁を扱う場合について、バルブのメンテナンス作業の効率を改善する。【解決手段】メンテナンスの候補のバルブをベローズ弁Ａ，Ｃ，Ｍとする（Ｓ２０１）。ベローズ弁Ａ，Ｃ，Ｍの開度計測値データＤ１および圧力計測値データＤ２に基づいて、ベローズ弁Ａ，Ｃ，Ｍの最大摩擦力に関する情報をそのベローズ弁の診断指標Ｆとして算出し、ベローズの破断の疑いの有無を知らせる指標として、オペレータに提示する（Ｓ２０３〜Ｓ２０６）。算出された診断指標Ｆが診断指標閾値以下であった場合、そのベローズ弁をメンテナンスが必要なバルブ（ベローズに破断が生じている疑いがあるバルブ）であると判定し、オペレータに提示する（Ｓ２０８〜Ｓ２１０）。【選択図】  図７
2019087003.tif 000002
【特許請求の範囲】
【請求項１】
弁体に結合された弁軸の外周を取り囲むように設けられた蛇腹状のベローズを備えたベローズ弁のメンテナンス作業を支援するバルブメンテナンス支援装置であって、
前記ベローズ弁の開度を計測する開度計測部から送信されてくる開度計測値データおよび前記ベローズ弁を駆動する操作器に供給される流体圧力を計測する圧力計測部から送信されてくる圧力計測値データを記憶する計測値データ記憶部と、
前記計測値データ記憶部に記憶されている前記開度計測値データおよび前記圧力計測値データに基づいて前記ベローズ弁の最大摩擦力に関する情報を前記ベローズ弁の診断指標として算出する診断指標算出部と、
前記診断指標算出部によって算出された前記ベローズ弁の診断指標を提示する診断指標提示部と
を備えることを特徴とするバルブメンテナンス支援装置。
【請求項２】
請求項１に記載されたバルブメンテナンス支援装置において、
前記診断指標に対する正常範囲の下限値を診断指標閾値として記憶する閾値記憶部と、
前記診断指標算出部によって算出された前記ベローズ弁の診断指標が前記診断指標閾値以下であった場合に、そのベローズ弁をメンテナンスが必要なバルブであると判定する判定部と、
前記判定部によってメンテナンスが必要と判定されたベローズ弁を提示する判定結果提示部と
を備えることを特徴とするバルブメンテナンス支援装置。
【請求項３】
請求項１又は２に記載されたバルブメンテナンス支援装置において、
前記診断指標算出部は、
同一の開度における、前記ベローズ弁の開度を大きくして行く際に必要な前記操作器に供給される流体圧力と、前記ベローズ弁の開度を小さくして行く際に必要な前記操作器に供給される流体圧力との圧力差を前記ベローズ弁の最大摩擦力に関する情報として、前記ベローズ弁の診断指標を算出する
ことを特徴とするバルブメンテナンス支援装置。
【請求項４】
請求項１〜３の何れか１項に記載されたバルブメンテナンス支援装置において、
前記診断指標提示部は、
前記ベローズ弁の診断指標と合わせて、この診断指標がそのベローズ弁に装着されているベローズの状態を対象としていることを提示する
ことを特徴とするバルブメンテナンス支援装置。
【請求項５】
請求項１〜４の何れか１項に記載されたバルブメンテナンス支援装置において、
メンテナンスの候補のバルブとして登録されたベローズ弁の識別情報を記憶するバルブ識別情報記憶部を備え、
前記計測値データ記憶部は、
前記メンテナンスの候補のバルブを含む複数のバルブを計測対象とし、この計測対象のバルブ毎にそのバルブの識別情報と対応づけて、前記開度計測値データおよび前記圧力計測値データを記憶し、
前記診断指標算出部は、
前記バルブ識別情報記憶部に記憶されている前記メンテナンスの候補のバルブの識別情報を読み出し、この読み出した識別情報と対応づけて前記計測値データ記憶部に記憶されている前記開度計測値データおよび前記圧力計測値データに基づいて、前記メンテナンスの候補のバルブ毎に前記診断指標を算出する
ことを特徴とするバルブメンテナンス支援装置。
【請求項６】
弁体に結合された弁軸の外周を取り囲むように設けられた蛇腹状のベローズを備えたベローズ弁のメンテナンス作業を支援するバルブメンテナンス支援方法であって、
前記ベローズ弁の開度を計測する開度計測部から送信されてくる開度計測値データおよび前記ベローズ弁を駆動する操作器に供給される流体圧力を計測する圧力計測部から送信されてくる圧力計測値データを計測値データ記憶部に記憶させる計測値データ記憶ステップと、
前記計測値データ記憶部に記憶されている前記開度計測値データおよび前記圧力計測値データに基づいて前記ベローズ弁の最大摩擦力に関する情報を前記ベローズ弁の診断指標として算出する診断指標算出ステップと、
前記診断指標算出ステップによって算出された前記ベローズ弁の診断指標を提示する診断指標提示ステップと
を備えることを特徴とするバルブメンテナンス支援方法。
【発明の詳細な説明】
【技術分野】
【０００１】
本発明は、弁体に結合された弁軸の外周を取り囲むように設けられた蛇腹状のベローズ（ベローズシール）を備えたベローズ弁のメンテナンス作業を支援するバルブメンテナンス支援装置および方法に関する。
【背景技術】
【０００２】
従来より、石油、化学系のプラントなどで使用されるバルブは、特に安全性に留意する必要があり、このため定期的なメンテナンスが行われる。図１２に、石油、化学系のプラントなどで使用されるバルブ（コントロールバルブ）の一例を示す。
【０００３】
このバルブ１００は、バルブ本体１０１と、ポジショナ１０２と、操作器１０３とを備えている。操作器１０３は、スプリング形ダイヤフラム構造とされており、ポジショナ１０２から供給される空気圧Ｐｏに応じてダイヤフラム（操作器のダイヤフラム）１０３ａをスプリング１０３ｂの力に抗して変位させることにより、弁軸（ステム）１０４を上下動させて、バルブの開度（弁体１０５とシートリング１０６との間の隙間）を調節する。すなわち、流体の流れを調節する。
【０００４】
ポジショナ１０２は、弁軸１０４に連結されたフィードバックレバー１０７の回転角度位置から弁軸１０４のリフト位置、すなわちバルブの実開度を検出し、この検出した実開度と設定開度との差に応じた空気圧Ｐｏを操作器１０３へ供給する。
【０００５】
このバルブ１００において、弁体１０５に結合された弁軸１０４の外周には、流体の外部漏れを防止するために、蛇腹状のベローズ（ベローズシール）１０８が設けられている。このベローズ１０８は、耐食性を有する金属材料からなり、バルブ本体１０１に連結された下フランジ１０９内に、弁軸１０４の外周を取り囲むように設けられている。
【０００６】
下フランジ１０９内において、ベローズ１０８は、弁軸１０４に嵌装されたベローズリング１１１と下フランジ１０９と上フランジ１１０との間に挟まれたベローズフランジ１１２との間に支持されている。上フランジ１１０内には、流体の外部漏れをさらに防止するために、弁軸１０４の外周面と上フランジ１１０の内周面との間にグランドパッキン１１３が設けられている。
【０００７】
このような蛇腹状のベローズ１０８を備えたバルブ１００をベローズ弁と呼んでいる（例えば、特許文献１参照）。以下、ベローズ弁を符号ＶＢで示し、他の形式のバルブ１００と区別する。以下の説明において、バルブ１００という場合には、ベローズ弁ＶＢを含むバルブのことを指す。
【０００８】
なお、バルブ１００には、逆作動操作器を用いる場合と、正作動操作器を用いる場合とがある。逆作動操作器は、図１２に示したベローズ弁ＶＢのように、スプリングの力でバルブの開度を閉方向に付勢する。正作動操作器は、逆に、スプリングの力でバルブの開度を開方向に付勢する。また、図１２に示したベローズ弁ＶＢでは、空気圧によって操作器１０３を作動させているが、油圧によって操作器１０３を作動させるタイプもある。
【０００９】
このようなバルブが設置されているプラントなどでは、多数のバルブを効率良くメンテナンスする必要があり、そのメンテナンス作業の効率を改善するために、バルブスティックスリップ検出（例えば、特許文献２参照）、バルブハンチング検出（例えば、特許文献３参照）、バルブスケール付着検出（例えば、特許文献４参照）などの手法が提案されている。
【先行技術文献】
【特許文献】
【００１０】
【特許文献１】特開２００７−１５４９２９号公報
【特許文献２】特許第３２５４６２４号公報
【特許文献３】特開２０１５−１１４９４２号公報
【特許文献４】特開２０１５−１１４９４３号公報
【発明の概要】
【発明が解決しようとする課題】
【００１１】
しかしながら、安全性やメンテナンス作業の効率については、完全とか十分とか言える上限は無い。石油、化学系のプラントなどでは多数のバルブが使用されるので、メンテナンス作業の効率については、さらなる改善が求められている。
【００１２】
本発明は、このような課題を解決するためになされたもので、その目的とするところは、特に、ベローズ弁を扱う場合について、バルブのメンテナンス作業の効率を改善することができるバルブメンテナンス支援装置および方法を提供することにある。
【課題を解決するための手段】
【００１３】
このような目的を達成するために本発明は、弁体（１０５）に結合された弁軸（１０４）の外周を取り囲むように設けられた蛇腹状のベローズ（１０８）を備えたベローズ弁（ＶＢ）のメンテナンス作業を支援するバルブメンテナンス支援装置（２００）であって、ベローズ弁の開度を計測する開度計測部（２１）から送信されてくる開度計測値データ（Ｄ１）およびベローズ弁を駆動する操作器（１０３）に供給される流体圧力（Ｐｏ）を計測する圧力計測部（２２）から送信されてくる圧力計測値データ（Ｄ２）を記憶する計測値データ記憶部（１）と、計測値データ記憶部に記憶されている開度計測値データおよび圧力計測値データに基づいてベローズ弁の最大摩擦力に関する情報をベローズ弁の診断指標（Ｆ）として算出する診断指標算出部（３）と、診断指標算出部によって算出されたベローズ弁の診断指標を提示する診断指標提示部（４）とを備えることを特徴とする。
【００１４】
この発明において、計測値データ記憶部には、開度計測部からの開度計測値データおよび圧力計測部からの圧力計測値データが記憶される。診断指標算出部は、計測値データ記憶部に記憶されている開度計測値データおよび圧力計測値データに基づいて、ベローズ弁の最大摩擦力に関する情報をベローズ弁の診断指標として算出する。
【００１５】
ベローズ弁において、一部が裂けるなどの破断がベローズに生じると（ベローズに孔が開くと）、ベローズを歪ませる力が減少する。このベローズを歪ませる力の減少は、ベローズ弁の最大摩擦力（弁軸との間に生じる最大摩擦力）の減少として現れ、算出されるベローズ弁の診断指標が小さくなる。この算出されたベローズ弁の診断指標は、ベローズの破断の疑いの有無を知らせる指標として、オペレータに提示される。
【００１６】
なお、上記説明では、一例として、発明の構成要素に対応する図面上の構成要素を、括弧を付した参照符号によって示している。
【発明の効果】
【００１７】
以上説明したように、本発明によれば、開度計測値データおよび圧力計測値データに基づいて、ベローズ弁の最大摩擦力に関する情報がベローズ弁の診断指標として算出され、この算出されたベローズ弁の診断指標がベローズの破断の疑いの有無を知らせる指標としてオペレータに提示されるものとなり、特に、ベローズ弁を扱う場合について、バルブのメンテナンス作業の効率を改善することができるようになる。
【図面の簡単な説明】
【００１８】
【図１】図１は、破断が生じていない場合のベローズの圧縮前と圧縮後の状態を模式化して示す図である。
【図２】図２は、破断が生じている場合のベローズの圧縮前と圧縮後の状態を模式化して示す図である。
【図３】図３は、本発明の実施の形態１に係るバルブメンテナンス支援装置の要部の構成を示すブロック図である。
【図４】図４は、このバルブメンテナンス支援装置の計測値データ記憶部に開度計測値データおよび圧力計測値データが蓄積されて行く様子を示すフローチャートである。
【図５】図５は、バルブの操作器を逆作動操作器とした場合の１回の上下動におけるバルブの開度θおよび空気圧Ｐｏの変化を例示する図である。
【図６】図６は、バルブの操作器を正作動操作器とした場合の１回の上下動におけるバルブの開度θおよび空気圧Ｐｏの変化を例示する図である。
【図７】図７は、このバルブメンテナンス支援装置の動作を説明するためのフローチャートである。
【図８】図８は、メンテナンス対象のプラントのバルブ配置の一例を示すイメージ図である。
【図９】図９は、時間の経過に伴うバルブ（ベローズ弁）の最大摩擦力の変化を示す図である。
【図１０】図１０は、メンテナンス候補のバルブ（ベローズ弁）の診断指標の表示例を示す図である。
【図１１】図１１は、本発明の実施の形態２に係るプラントとその機器管理システムの構成（実施の形態１の実装例）を例示する図である。
【図１２】図１２は、コントロールバルブ（ベローズ弁）の一例を示す図である。
【発明を実施するための形態】
【００１９】
〔発明の原理〕
発明者は、ベローズ（ベローズシール）を利用するベローズ弁の場合、一部が裂けるなどの破断がベローズに生じると（ベローズに孔が開くと）、ベローズを歪ませる力が減少することに着眼した。
【００２０】
すなわち、正常なベローズにおけるベローズ全体を歪ませるために必要な力に対し、破断が生じている場合、破断箇所については適正な弾性変形をさせるための力が不要になるので、ベローズを歪ませるために必要なトータルの力が減少する。例えば、ベローズが圧縮バネのように歪む場合、破断により生じた開口部分で弾性変形をさせるための力が不要となる。
【００２１】
図１に破断が生じていない場合のベローズの圧縮前と圧縮後の状態を模式化して示す。図１（ａ）は圧縮前、図１（ｂ）は圧縮後のベローズの状態を示す。ベローズに破断が生じていない場合、全ての折り曲げ箇所に断線変形の力が必要である。
【００２２】
図２に破断が生じている場合のベローズの圧縮前と圧縮後の状態を模式化して示す。ベローズに破断が生じると、破断（分離）した箇所（開口部分）では弾性変形をさせるための力が不要となり、ベローズを歪ませる力が減少する。
【００２３】
このベローズを歪ませる力の減少は、ベローズの取付状態を考慮すれば、ベローズ弁の最大摩擦力（弁軸との間に生じる最大摩擦力）の減少として現れる。発明者は、このベローズ弁の最大摩擦力に関する情報をベローズ弁の診断指標としてオペレータに提示することで、ベローズに破断の疑いがあるか否かを推定できるようになることに想到した。これにより、特に、ベローズ弁を扱う場合について、バルブのメンテナンス作業の効率を改善することができるようになる。
【００２４】
〔実施の形態１〕
以下、本発明の実施の形態を図面に基づいて詳細に説明する。図３は本発明の実施の形態１に係るバルブメンテナンス支援装置の要部の構成を示すブロック図である。ここでは、説明を簡潔にするため、バルブのＩＤ（識別情報）の事例などは、実際のプラントで利用されるものよりもシンプルなものにする。
【００２５】
本実施の形態のバルブメンテナンス支援装置２００は、プロセッサや記憶装置からなるハードウェアと、これらのハードウェアと協働して各種機能を実現させるプログラムとによって実現され、計測値データ記憶部１と、バルブＩＤ記憶部２と、診断指標算出部３と、診断指標提示部４と、判定部５と、閾値記憶部６と、判定結果提示部７とを備えている。
【００２６】
このバルブメンテナンス支援装置２００において、計測値データ記憶部１には、プラントで使用されているバルブ１００の開度計測部２１から送信されてくる開度計測値データＤ１および圧力計測部２２から送信されてくる圧力計測値データＤ２が記憶される。
【００２７】
すなわち、プラントで使用されているバルブ１００は、そのバルブの開度θを計測する開度計測部２１と、そのバルブの操作器に供給される空気圧Ｐｏを計測する圧力計測部２２とを備えている。開度計測部２１は、計測したバルブの開度θを開度計測値データＤ１としてバルブメンテナンス支援装置２００へ送信し、圧力計測部２２は計測した空気圧Ｐｏを圧力計測値データＤ２としてバルブメンテナンス支援装置２００へ送信する。
【００２８】
バルブメンテナンス支援装置２００は、図４にそのフローチャートを示すように、開度計測部２１からの開度計測値データＤ１を受信すると（ステップＳ１０１のＹＥＳ）、その受信した開度計測値データＤ１を計測値データ記憶部１に記憶させ（ステップＳ１０２）、圧力計測部２２からの圧力計測値データＤ２を受信すると（ステップＳ１０３のＹＥＳ）、その受信した圧力計測値データＤ２を計測値データ記憶部１に記憶させる（ステップＳ１０４）。
【００２９】
図５にバルブ１００の操作器を逆作動操作器とした場合の１回の上下動におけるバルブの開度θ（開度計測値データＤ１）および空気圧Ｐｏ（圧力計測値データＤ２）の変化を例示し、図６にバルブ１００の操作器を正作動操作器とした場合の１回の上下動におけるバルブの開度θ（開度計測値データＤ１）および空気圧Ｐｏ（圧力計測値データＤ２）の変化を例示する。
【００３０】
なお、本実施の形態において、計測値データ記憶部１には、バルブ１００の開度計測部２１および圧力計測部２２から開度計測値データＤ１および圧力計測値データＤ２が周期的に送信され、時系列データとして蓄積されて行くものとする。
【００３１】
また、本実施の形態において、プラントにはベローズ弁ＶＢ（図１２）を含むバルブ１００が多数設置されており、これらのバルブ１００（１００−１〜１００−Ｎ）からの開度計測値データＤ１（Ｄ１1〜Ｄ１N）および圧力計測値データＤ２（Ｄ２1〜Ｄ２N）が、そのバルブのＩＤと対応づけて計測値データ記憶部１に蓄積されて行くものとする。
【００３２】
以下、図７に示すフローチャートを参照しながら、このバルブメンテナンス支援装置２００の動作について各部の機能を交えながら具体的に説明する。
【００３３】
オペレータは、プラントに設置されているバルブ１００−１〜１００−Ｎを計測対象とし、この計測対象のバルブ１００−１〜１００−Ｎの中からメンテナンスの候補のバルブを定め、このメンテナンスの候補のバルブを登録する（ステップＳ２０１）。
【００３４】
この場合、メンテナンスの候補のバルブとして登録されたバルブのＩＤ（以下、バルブＩＤとも呼ぶ。）が、バルブメンテナンス支援装置２００のバルブＩＤ記憶部２に記憶される。
【００３５】
例えば、プラント内にバルブ１００が２６個あるとして、これら２６個のバルブ１００にそれぞれ“Ａ”，“Ｂ”，“Ｃ”，・・・，“Ｍ”，・・・，“Ｘ”，“Ｙ”，“Ｚ”という固有のＩＤが予め割り当てられているものとする。バルブＡ，Ｍ，Ｃをメンテナンスの候補のバルブと定めた場合、オペレータはバルブＩＤとして“Ａ”，“Ｍ”，“Ｃ”を入力する。
【００３６】
本実施の形態では、バルブＡ，Ｍ，Ｃが図１２に示されたようなベローズ弁ＶＢであるものとし、特定の定期プラントメンテナンスにおいて最優先のメンテナンス対象として選定されるものと仮定する。以下、バルブＡ，Ｍ，Ｃをベローズ弁Ａ，Ｍ，Ｃとも呼ぶ。
【００３７】
図８はメンテナンス対象のプラントのバルブ配置の一例を示すイメージ図である。本実施の形態では、バルブＩＤ“Ａ”，“Ｍ”のバルブ１００−Ａ（ベローズ弁Ａ），１００−Ｍ（ベローズ弁Ｍ）が流路ＩＤ“１”の流路１１−１に配設され、バルブＩＤ“Ｃ”のバルブ１００−Ｃ（ベローズ弁Ｃ）が流路ＩＤ“３”の流路１１−３に配設されているものとする。
【００３８】
図８における１２−Ａ，１２−Ｃ，１２−Ｍは流量計測器、１３はタンク、１４は圧力発信器である。なお、図８では、バルブＩＤが“Ａ”，“Ｃ”，“Ｍ”以外のバルブについては記載を省略している。
【００３９】
診断指標算出部３は、診断指標の算出指示があると（ステップＳ２０２のＹＥＳ）、バルブＩＤ記憶部２に記憶されているメンテナンスの候補のバルブのＩＤ“Ａ”，“Ｃ”，“Ｍ”を読み出し（ステップＳ２０３）、この読み出したバルブＩＤ“Ａ”，“Ｃ”，“Ｍ”と対応づけて計測値データ記憶部１に記憶されている開度計測値データＤ１および圧力計測値データＤ２を読み出す（ステップＳ２０４）。
【００４０】
そして、診断指標算出部３は、計測値データ記憶部１から読み出した開度計測値データＤ１および圧力計測値データＤ２に基づいて、ベローズ弁Ａ，Ｃ，Ｍの最大摩擦力（弁軸との間に生じる最大摩擦力）に関する情報をベローズ弁Ａ，Ｃ，Ｍの診断指標Ｆ（ＦA，ＦC，ＦM）として算出する（ステップＳ２０５）。
【００４１】
図９に、時間の経過に伴うベローズ弁の最大摩擦力の変化を示す。診断指標算出部３は、同一の開度における、ベローズ弁の開度を大きくして行く際に必要な操作器に供給される空気圧Ｐｏと、ベローズ弁の開度を小さくして行く際に必要な操作器に供給される空気圧Ｐｏとの圧力差を最大摩擦力に関する情報として求め、この最大摩擦力に関する情報をベローズ弁の診断指標Ｆとする。例えば、直前の２４時間を診断対象期間とし、この診断対象期間内の最大摩擦力に関する情報を現在の最大摩擦力に関する情報として求め、この現在の最大摩擦力に関する情報をベローズ弁の診断指標Ｆとする。
【００４２】
診断指標算出部３で算出された診断指標Ｆ（ＦA，ＦC，ＦM）は診断指標提示部４へ送られる。診断指標提示部４は、診断指標算出部３からの診断指標Ｆをメンテナンス候補のバルブ（ベローズ弁）の診断指標として、すなわちベローズの破断の疑いの有無を知らせる指標として、オペレータに提示する（ステップＳ２０６）。
【００４３】
例えば、図１０に診断指標の提示領域を＃１として示すように、メンテナンスの候補のバルブであるベローズ弁Ａ，Ｃ，Ｍに対応づけて、すなわちメンテナンスの候補のバルブのＩＤ“Ａ”，“Ｃ”，“Ｍ”に対応づけて、診断指標算出部３で算出された診断指標ＦA，ＦC，ＦMの数値をディスプレイに表示する。
【００４４】
この際、図１０に診断対象部分の提示領域を＃２として示すように、診断指標の提示領域＃１に提示（表示）されている診断指標ＦA，ＦC，ＦMがベローズ弁Ａ，Ｃ，Ｍに装着されているベローズの状態を対象としていることを提示（表示）するようにすれば、ベローズのメンテナンスの必要性についての知識が乏しいオペレータに対して、ベローズへの着目の必要性を定量的に示すことになるので、ベローズのチェック漏れが発生する危険性を低減することができる。
【００４５】
診断指標算出部３で算出された診断指標Ｆ（ＦA，ＦC，ＦM）は判定部５へも送られる。閾値記憶部６には、診断指標Ｆに対する正常範囲の下限値が診断指標閾値Ｆｔｈとして記憶されている。
【００４６】
判定部５は、診断指標算出部３から診断指標Ｆが送られてくると、閾値記憶部６に記憶されている診断指標閾値Ｆｔｈを読み出し（ステップＳ２０７）、診断指標算出部３からの診断指標Ｆを診断指標閾値Ｆｔｈと比較する（ステップＳ２０８）。この場合、診断指標算出部３からの診断指標ＦA，ＦC，ＦMのそれぞれについて診断指標閾値Ｆｔｈと比較する。
【００４７】
ここで、判定部５は、診断指標算出部３からの診断指標Ｆが診断指標閾値Ｆｔｈ以下であった場合（ステップＳ２０８のＹＥＳ）、そのバルブ（ベローズ弁）をメンテナンスが必要なバルブであると判定する（ステップＳ２０９）。例えば、診断指標ＦA，ＦC，ＦMの内、診断指標ＦMが診断指標閾値Ｆｔｈ以下であった場合、ベローズ弁Ｍをメンテナンスが必要なバルブであると判定する。判定部５は、この判定結果を判定結果提示部７へ送る。
【００４８】
判定結果提示部７は、判定部５からの判定結果をオペレータに提示する（ステップＳ２１０）。例えば、メンテナンスの候補のバルブであるベローズ弁Ａ，Ｃ，Ｍのうちベローズ弁Ｍがメンテナンスが必要なバルブと判定された場合、図１０に示された診断指標の提示領域＃１において、ベローズに破断が生じている疑いがあるバルブとして、ベローズ弁ＭのバルブＩＤおよび診断指標ＦMを赤色で表示する。この場合、ベローズ弁Ａ，ＣのバルブＩＤおよび診断指標ＦA，ＦCについては、黒色で表示される。この際、診断指標の提示領域＃１に、判定の際に用いた診断指標閾値Ｆｔｈを表示するようにしてもよい。
【００４９】
なお、この実施の形態では、メンテナンスの候補のバルブ（ベローズ弁Ａ，Ｃ，Ｍ）の診断指標やメンテナンスが必要なバルブであるか否かの判定結果をディスプレイに表示するようにしたが、プリンタなどで打ち出してもよく、音声で知らせるようにしたりしてもよい。
【００５０】
また、この実施の形態では、診断指標算出部３において、メンテナンスの候補のバルブ（ベローズ弁Ａ，Ｃ，Ｍ）についてのみ診断指標Ｆを算出するようにしたが、計測対象のバルブの全て（バルブＡ〜Ｚ）について診断指標Ｆを算出するようにしてもよい。
【００５１】
この場合、診断指標提示部４において、計測対象の全てのバルブのバルブＩＤと診断指標Ｆとを対応づけて、例えば、メンテナンスの候補のバルブについては青色で、メンテナンスの候補でないバルブについては黒色で、メンテナンスが必要と判定されたバルブについては赤色でというように、それぞれを区別して表示させるようにする。
【００５２】
また、診断指標閾値Ｆｔｈは、どの程度の破断を問題にするかに依存し、ベローズの破断により生じる危険度とメンテナンスコストとのトレードオフなどに応じて適宜決定すればよい。また、破断が生じていないと想定される摺動距離累積値が小さいとき（初期状態）の摩擦力に基づいて、診断指標閾値Ｆｔｈを決定してもよい。
【００５３】
〔実施の形態２〕
次に、本発明の実施の形態２に係るバルブメンテナンス支援装置について説明する。実施の形態２は、実施の形態１の実装例を説明するものである。図１１はプラントとその機器管理システムの構成を示す図であり、図８と同一の構成には同一の符号を付してある。
【００５４】
石油、化学系のプラントには、そのプラントの各機器を制御・管理する機器管理システム８が設けられている。実施の形態１で説明した計測値データ記憶部１，バルブＩＤ記憶部２、診断指標算出部３、判定部５、閾値記憶部６については、プラント固有の膨大な情報を扱うので、機器管理システム８側に実装されることが好ましい。
【００５５】
一方、診断指標提示部４、判定結果提示部７については、原則的にバルブのメンテナンス判断時に特に必要な処理を提供するものである。また、メンテナンス実施者（メンテナンス受託企業の作業担当者）は、プラントオーナ企業から委託されてプラントのメンテナンスを実施するのが一般的である。したがって、不特定多数のプラントを対象にすることを想定して、メンテナンス受託企業の作業担当者（オペレータ）が持ち歩く携帯型のコンピュータ９に、診断指標提示部４と判定結果提示部７とを実装することが好ましい。
【００５６】
コンピュータ９は、ＣＰＵ（Central Processing Unit）とメモリとインタフェースとを備えている。プラントの機器管理システム８とコンピュータ９とは、メンテナンス作業実施時にイーサネット（登録商標）などの通信機能を利用して一時的に接続される。
【００５７】
オペレータがコンピュータ９上のアプリケーションソフトウエアを起動すると、コンピュータ９のＣＰＵは、メモリに格納されたプログラムに従って処理を実行し、機器管理システム８に診断指標の算出指示を送り、機器管理システム８に登録されているメンテナンスの候補のバルブ（ベローズ弁）について、その診断指標の算出およびメンテナンスが必要か否かの判定を行わせる。この機器管理システム８で算出されたメンテナンスの候補のバルブ（ベローズ弁）の診断指標およびメンテナンスが必要か否かの判定結果はコンピュータ９のディスプレイに表示される。
【００５８】
なお、この例では、機器管理システム８に既にメンテナンスの候補のバルブ（ベローズ弁）が登録されているものとしているが、このメンテナンスの候補のバルブ（ベローズ弁）の登録や変更はコンピュータ９よりオペレータが行うことも可能である。
【００５９】
オペレータは、コンピュータ９のディスプレイに表示されたメンテナンスの候補のバルブ（ベローズ弁）の診断指標およびメンテナンスが必要か否かの判定結果に基づき、特にベローズの点検に留意すべきバルブ（ベローズ弁）を確認する。確認したら、オペレータは、コンピュータ９と機器管理システム８との接続を解除する。
【００６０】
このようにして、実施の形態１で説明したバルブメンテナンス支援装置２００を実際のプラントに適用することができる。
【００６１】
〔実施の形態の拡張〕
以上、実施の形態を参照して本発明を説明したが、本発明は上記の実施の形態に限定されるものではない。本発明の構成や詳細には、本発明の技術思想の範囲内で当業者が理解し得る様々な変更をすることができる。
【符号の説明】
【００６２】
１…計測値データ記憶部、２…バルブＩＤ記憶部、３…診断指標算出部、４…診断指標提示部、５…判定部、６…閾値記憶部、７…判定結果提示部、２１…開度計測部、２２…圧力計測部、１００（１００−１〜１００−Ｎ）…バルブ、１０１…バルブ本体、１０２…ポジショナ、１０３…操作器、１０４…弁軸、１０５…弁体、１０８…ベローズ、ＶＢ…ベローズ弁、２００…バルブメンテナンス支援装置。
【図１】
2019087003.tif 000003
【図２】
2019087003.tif 000004
【図３】
2019087003.tif 000005
【図４】
2019087003.tif 000006
【図５】
2019087003.tif 000007
【図６】
2019087003.tif 000008
【図７】
2019087003.tif 000009
【図８】
2019087003.tif 000010
【図９】
2019087003.tif 000011
【図１０】
2019087003.tif 000012
【図１１】
2019087003.tif 000013
【図１２】
2019087003.tif 000014